(57)【特許請求の範囲】
【請求項１】
底部ボックスブ(１１)と、後側領域において直線状関節(１４)によって前記ボックス部に接続された蓋とを含み、前記ボックス部(１１)と蓋(１２)は、閉じた位置において、ともに大きい表面積エリアである前側(１５)と、これに対応する後側(１３)とを形成するシガレット用ヒンジ蓋付きパックであって、前記ヒンジ蓋付きパックは、外側包装材(１９)の上部フィルムキャップ(２２)を分離するために全周に延出している引裂き開放ストリップ(２０)を備えているフィルム製の外側包装材(１９)によって包囲されており、一方においてフィルムキャップ(２２)の内側と、他方においてパック(１０)と接続された別体のブランク(２３)が、プリント媒体として、外側包装材(１９)とシガレットパック(１０)の間に配置されており、下記の（ａ）（ｂ）（ｃ）(ｄ)を特徴とするパック。
（ａ）ブランク(２３)は、パックの大きい表面エリア側、すなわち、後側(１３)または前側(１５)の領域に配置されている
（ｂ）ブランク(２３)は、蓋(１２)の領域のみならず、ボックス部(１１)の領域にも延出している
（ｃ）ブランク(２３)の上部は、接着剤または熱シールによってフィルムキャップ(２２)のキャップの前壁または後壁(２４)に接続されている
（ｄ）ブランク(２３)の下部は、底部ボックス部(１１)の領域において、容易に分離することができる接着剤の小塊(２７)によって、後壁(１３)または前壁(１５)に接続されており、ブランク（２３）はフィルムキャップ（２２）に接続しているために、外部包装材（１９）が開かれるときに、パックから引き出される
【請求項２】
ブランク(２３)は、２つの接着剤スポット(２５,２６)によってキャップの後壁(２４)に取り付けられており、前記スポットは、互いに離間して取り付けられる点を特徴とする請求項１に記載のパック。
【請求項３】
ブランク(２３)は、手風琴状の折り曲げ部を備えるストリップ状の形態を呈する複層の設計であり、後側(１３)に接続された内側脚(２８)が、下方に向く自由な端部を有し、外側包装材(１９)すなわちフィルムキャップ(２２)に接続された外側脚(２９)が、上方に向く自由な端部を有する点を特徴とする請求項１または２に記載のパック。
【請求項４】
下記の（ａ）〜（ｆ）を特徴とする請求項１に記載のパックの製造方法。
（ａ）フィルムウエブ(３０)には、１対の接着剤スポット(２５,２６)が供給され、前記スポットは、製造しようとするフィルムキャップ(２２)の領域に、互いに離間して配置される
（ｂ）次に、ストリップウエブ(３６)の形態をなす連続する引き裂き開放ストリップ(２０)が、正確に配置される態様でフィルムウエブ(３０)に配置される
（ｃ）ブランク副アセンブリー(３２)の領域において、外側包装材(１９)用のブランクが、フィルムウエブ(３０)から切断されて直立面内に待機する
（ｄ）横断方向を向く水平なパック搬送路(３３)において、上側に正確に配置される態様で適合されたブランク(２３)を備えるパック(１０)が、ブランク副アセンブリー(３２)に供給される
（ｅ）パック(１０)は、ブランク(２３)を一時的に固定するためにブランクの上側に接着剤の小塊(２７)を有している
（ｆ）外側包装材(１９)は、ブランク(２３)を備えるパック(１０)を囲んで折り畳まれており、接着剤スポット(２５,２６)がブランク(２３)に接続されている
【請求項５】
下記の（ａ）〜（ｄ）を特徴とする請求項４に記載のパックの製造方法。
（ａ）パックは、それらの後側（１３）が上方を向くようにパック搬送路（３３）に沿って搬送される
（ｂ）接着剤の小塊（２７）が、パック（１０）の後側（１３）に付与される
（ｃ）次に、ブランク（２３）が、接着剤の小塊（２７）の領域において、パック（１０）の後側（１３）に載置される
（ｄ）次に、外側包装材（１９）がパック（１０）の周囲に折り曲げられる
【請求項６】
下記の（ａ）〜（ｅ）を特徴とする請求項５に記載の方法。
（ａ）外側包装材（１９）を製造するためのフィルムウエブ（３０）は、接着剤スポット（２５，２６）を付与する目的で接着ステーション（３４）を通過して搬送されることができる
（ｂ）連続ストリップウエブ（３６）は、引き裂き開放ストリップ（２０）を形成する目的でフィルムウエブ（３０）の面に正確に配置される
（ｃ）外側包装材（１９）のためのブランクは、ブランクの副アセンブリー（３２）の領域において、垂直面内に調製されたフィルムウエブ（３０）から切断される
（ｄ）パック（１０）は、水平なパック搬送路（３３）において、調製された外側包装材（１９）を受け入れるためにブランクの副アセンブリー（３２）に供給される
（ｅ）パック搬送経路（３３）の上方には、パックの搬送方向に向かって、パック（１０）に接着剤の小塊（２７）を付与するための接着副アセンブリー（３８）が配置されており、それに続いて、ブランク供給体（３９）が配置されている
【発明の詳細な説明】
【０００１】
この発明は、パック、特に、大きな表面エリアの前側部と、これに対応する後側と、周囲全体に亘って延出する引き裂き開放ストリップを備えるフィルムから製造される外側包装材と、プリント媒体として配置される別体のブランク、特に、外側包装材と(シガレット)パックの間のクーポンとを有するパックに関する。この発明はまた、そのようなパックを製造する方法と装置に関する。
【０００２】
シガレットパックの製造においては、パック面にフィットするプリント情報、または広告素材付きのシート状挿入体に対する増大する需要がある。薄紙等で製造されたプリント媒体をシガレットパックに付加するために、正確に言えば、従来のフィルム製の外側包装材とパックそれ自体との間の領域に付加するために、様々な提案がなされている。
【０００３】
この発明は、挿入体、すなわち、別体のブランクが、包装体に直接フィットされパックがはじめて開封されたときユーザー-フレンドリーな態様で提供されるパックを提案することであり、その結果として、前記の広告または情報は、消費者に到達する。
【０００４】
この目的を達成するために、この発明のパックは、以下の特徴を有する。
（ａ）ブランクは、パックの大きい表面エリア側、すなわち、後側または前側の領域に配置されている
（ｂ）ブランクは、蓋の領域のみならず、ボックス部の領域にも延出している
（ｃ）ブランクの上部は、接着剤または熱シールによってフィルムキャップのキャップの前壁または後壁に接続されている
（ｄ）ブランクの下部は、底部ボックス部の領域において、容易に分離することができる接着剤の小塊によって、後壁または前壁に接続されており、ブランクはフィルムキャップに接続しているために、外部包装材が開かれるときに、パックから引き出される
プリント媒体を特にシガレットパックの大きな表面エリアの後側に配置することは、閉じられているパックに情報を付与するための対応する表面エリアの利用を可能にする。その理由は、プリント媒体が、パックのすべての側または後側を覆うことができるからである。パックが最初に開封されるとき、つまり、外側包装材が取り除かれるとき、プリント媒体が外側包装材に接続されているという事実によって、消費者のそれに対する注意を更に余計に呼び起こす。
【０００５】
この発明のシガレットパックの場合は、プリント媒体がパックの後側にフィットされており、引裂き開放ストリップ-フィルムキャップ-によって分離することができる上部の外側包装材の部分に接続されており、この点が特に有利である。このパックが、通常どおりに初めて開封されると、このフィルムキャップは、外側包装材から分離される。この場合、前記フィルムキャップに接続されているプリント媒体は、パック内部の位置から引き出されて消費者に提示される。
【０００６】
利用可能なプリント表面エリアの量は複層化によって、特に、プリント媒体の手風琴(concertina)様の設計によって増大することができる。更に、プリント媒体が、パックまたはパックの後側に、正確に言うと、釈放可能に接着剤によって接続される点が１つの特別な様相である。可能な接続手段は、「接着／非接着」(”stick/no  stick”)タイプの接着剤、すなわち、一定時間後に接着効果を自動的に喪失する接着剤である。
【０００７】
この発明の文脈に言うパックの製造中において、その製造手順は、外側包装材を製造するためのフィルムウエブが、プリント媒体を取り付けるために、製造対象であるフィルムキャップの領域において、正確に配置された態様で接着剤のエリアを具備している手順である。接着剤の複数のスポットが、互いに適当に離間した対をなしてフィルムウエブに付与される。この接着剤スポットは、両方ともホット-メルト型であり長時間に亘って有効な接着効果を持続するものが有利である。
【０００８】
この発明のパックの形態と製造に関する別の詳細は、添付図面を参照しつつ、より詳しく説明される。
【０００９】
これらの添付図面は、シガレットパックすなわち、少なくとも２つの互いに向き合う(大きな)表面を備える直方体のパックの形態と製造に関する。このことは、好ましい一例として描かれているヒンジ蓋付きタイプのパック１０に当て嵌まる。このタイプのパックは、(底部)ボックス部１１と、蓋(１２)から形成されている。この２つのパーツは、パック１０の大きい表面エリアの後側１３の領域において、横断方向に向く直線状の関節の領域においてピボットすることが可能なように互いに接続されている。したがって、パック１０の後側１３は、１つながりの部材をなしている。
【００１０】
対応する大表面エリアの前側１５は、向かい合って形成されている。更に、パック１０は、幅の狭い両直立側面１６と、ベース面１７および端面１８によって区画されている。
【００１１】
結果として形成されたパックは、外側包装材１９によって完全に包囲されている。前記外側包装材は、薄い透明な、すなわち、透けて見えるフィルムから構成されている。この外側包装材１９は、パック１０が最初に開封されるとき少なくとも部分的に取り除かれる。この目的で、四方に延出している引裂き開放ストリップ２０が、端面１８に向く上部領域において外側包装材１９に接続されている。引裂き開放ストリップ２０の自由な外端は、１つのグリップエンド２１として機能する。外側包装材１９を開放する目的で、外側包装材１９は、その上部副領域がベース部から完全に分離されるように、引裂き開放ストリップ２０を援用して切り離される。外側包装材の上部すなわちフィルムキャップ２２は、取り除かれる。
【００１２】
パック１０は、別体のブランク２３を備えている。この別体のブランクは、薄い材料、特に紙で構成されている。このブランク２３は、プリント媒体、すなわち、プリント情報および／または例えば広告と事実に関する装飾に限らず、景品付きくじ引きの詳細等のプリント情報を収容する機能を果たす。
【００１３】
ブランク２３は、パック１０と外側包装材１９の間の領域、正確に言うと、パックの大きい表面の一方の面に配置されている。ブランク２３を大きい表面エリアの後側１３に設けることは、特に有利である。その理由は、ブランク２３が一つながりの部材に設計されるからである。ブランク２３は、大なり小なり後側１３の面全体に亘るように延出するような大きさである。ブランク２３の外側は、外側包装材１９の外からはっきりと透けて見えるので、適当なプリントおよび／または情報がこの領域に設けられることができる。
【００１４】
ブランク２３は、その副領域が、外側包装材が開かれたときに取り出すことができるできるように、言い換えれば、フィルムキャップ２２の領域に位置するようにその大きさと配置が決められている。ブランク２３は、これがこの外側包装材１９と一緒に取り出されるように外側包装材１９に接続される。
【００１５】
１つの様相は、ブランク２３のキャップの後壁２４の領域における分離可能なフィルムキャップ２２への接続部である。外側包装材１９が開かれるとき、この接続部は、ブランク２３がフィルムキャップ２２と一緒に原位置から引き出される、厳密に言うと、他のやり方で破壊されたり、損傷されたりせずに、引き出される原因となる(図６参照)。
【００１６】
ブランク２３は、接着によって外側包装材１９に接続される。ブランク２３を、複数個の、特に２つの接着剤スポット２５、２６によって、キャップの後壁２４の面に固着することが有利である。これらは、ブランク２３の端部境界に隣接して、つまり、ブランク２３の上部コーナーに置いて互いに離間されている。接着剤のスポット２５、２６は、持続性接着剤、正確には、ホット-メルト形態をなす接着剤を含むことができる。
【００１７】
ブランク２３は、ベース部において、または、接着剤のスポット２５、２６から遠い部位に位置する領域においてパック１０に接続される、すなわち、ボックス部１１の領域内においてパックの後側１３に接続される。この接続は、フィルムキャップ２２が取り除かれたとき、ブランク２３が後側１３の面における位置から容易に引き出されることができるようにするために容易に釈放されなければならない。このために、中心にある１つの接着剤の小塊２７が設けられており、これがブランク２３を後側１３に接続している。この接続は、製造プロセス中、および、その後で、とにかくパックが最初に開封されるまでの間、ブランク２３がパック１０の面に正確に配置されることを可能にするという目的を特に有している。接着剤のこの小塊２７は、「接着／非接着」(”stick/no  stick”)タイプの接着剤、すなわち、接着機能が減少する接着剤で有利に構成することができる。
【００１８】
有用な表面エリアを増大するために、ブランク２３は、複層のデザインを取ることができる。図５によれば、ブランク２３は、例えば、後側１３の幅に合わせて手風琴(concertina)の態様で、細長いストリップとして折り畳まれている。１つの内側脚２８が、後側１３と向き合ってこれに接しており、下方に向く自由な端部を備えている。１つの外側脚２９が、外側包装材１９に向かっており、上方を指向する自由な端部を備えている。内側脚２８は、ベース領域において、(釈放可能な態様で)接着剤の小塊２７を介してパック１０に接続されており、外側脚２９は、２つの接着剤スポット２５、２６を介して好ましく外側包装材１９すなわちフィルムキャップ２２に接続されている。ブランク２３の手風琴様の構造の場合は、折り畳み線が、後側１３の上部とベース部の領域において横断方向を向いている。
【００１９】
パック１０が、フィルムキャップ２２を持ち上げることによって、初めて開封されたときは、持ち上げられたフィルムキャップ２２は、折り畳まれたブランク２３を先ず広げ、次に、後側１３の面の位置から引き出させる(図７)。したがって、ブランク２３は、外側包装材１９とパック１０との間の位置から引き出されるばかりでなく、そのプロセス中に広げもする。
【００２０】
別の特定の様相は、説明したタイプのパック１０の製造である。図８に概略的に示す装置の場合には、フィルムウエブ３０が、リール３１から引き出されて、ブランク副アセンブリー３２に供給される。ブランク副アセンブリーの領域において、外側包装材１９用のブランクが垂直面の領域で切断され、パック１０に移送される。パック１０は、水平なパック移送路３３に沿って供給されて、同様にブランク副アセンブリー３２に供給される。
【００２１】
接着ステーション３４の領域において、フィルムウエブ３０は接着剤、好ましくは、ブランク２３を固着する目的で接着剤のスポット２５、２６を供給される。この目的で接着副アセンブリー３５が設けられており、これが接着ノズルによって接着剤のスポットを好ましく付与する。
【００２２】
次に、引裂き開放ストリップ２０が、正確に言うとストリップウエブ３６として、フィルムウエブに付与される。このストリップウエブは、同様にリール３７から引き出される。ブランク副アセンブリー３２において製造されつつある外側包装材１９用のブランクは、したがって、引裂き開放ストリップ２０と接着剤スポット２５、２６を既に備えている。図９から明らかなように、接着剤スポット２５、２６は、製造しようとするブランク内の位置に対応して、正確に位置決めされた態様で、正確には、引き出し開放ストリップ２０またはストリップウエブ３６に沿う一対の接着剤スポット２５，２６として、フィルムウエブ３０に付与される。
符号一覧
１０…パック，１１…ボックス部，１２…蓋，１３…後側，１４…直線状関節，１５…前側，１６…側面，１７…ベース面，１８…端面，１９…外側包装材，２０…引裂き開放ストリップ，２１…グリップエンド，２２…フィルム製キャップ，２３…ブランク，２４…キャップの後壁，２５…接着剤スポット，２６…接着剤スポット，２７…接着剤の小さい塊，２８…脚，２９…脚，３０…フィルムウエブ，３１…リール，３２…ブランク副アセンブリー，３３…パックの移送路，３４…接着ステーション，３５…接着副アセンブリー，３６…ストリップウエブ，３７…リール，３８…接着副アセンブリー，３９…ブランク供給体。
【図面の簡単な説明】
【図１】  シガレットパックの斜視図。
【図２】  製造段階にある図１のパックの同様な斜視図。
【図３】  印刷媒体のない図２のパック。
【図４】  図１のパックの側面図。
【図５】  パックの別の模範具体例の図４に対応する図。
【図６】  開放プロセスにある図１のパックの斜視図。
【図７】  開放プロセスにある図５のパックの斜視図。
【図８】  印刷媒体を備えるパックの製造装置の概略的側面図。
【図９】  パックの外側包装材用のフィルムウエブの一部。
【図１】
0004282988.tif 000002
【図２】
0004282988.tif 000003
【図３】
0004282988.tif 000004
【図４】
0004282988.tif 000005
【図５】
0004282988.tif 000006
【図６】
0004282988.tif 000007
【図７】
0004282988.tif 000008
【図８】
0004282988.tif 000009
【図９】
0004282988.tif 000010